(57)【要約】      （修正有）【課題】商品の説明書作成の費用を軽減可能にする商品パッケージを提供する。【解決手段】上下に折り曲げたときに重なり合う表側ケース部２及び背面側ケース部３を備え、折り曲げて重ね合わせたときに、商品４０を内部に収納する商品収納空間１０を形成する表側商品収納部１１及び背面側商品収納部とを表側ケース部２と背面側ケース部３に設ける。また、折り曲げて重ね合わせたときに、商品情報を印刷した名刺サイズ用紙を内部に収納可能な略名刺サイズの収納空間２０を形成する表側用紙収納部２１及び背面側用紙収納部とを表側ケース部２と背面側ケース部３に設ける。商品収納空間１０と略名刺サイズの収納空間２０は上下に並ぶようにし、表側ケース部２と背面側ケース部３を透明とする。【選択図】図１
0003224133.tif 000002
【実用新案登録請求の範囲】
【請求項１】
折り曲げ部を介して折り曲げ自在に上下または左右に連接されており、上下または左右に折り曲げたときに重なり合う表側ケース部及び背面側ケース部を備え、
表側ケース部と背面側ケース部を折り曲げ部で折り曲げて重ね合わせたときに、商品を内部に収納する商品収納空間を形成する表側商品収納部及び背面側商品収納部とを表側ケース部と背面側ケース部に設けるとともに、
表側ケース部と背面側ケース部を折り曲げ部で折り曲げて重ね合わせたときに、商品情報を印刷した名刺サイズの用紙を内部に収納可能な略名刺サイズの収納空間を形成する表側用紙収納部及び背面側用紙収納部とを表側ケース部と背面側ケース部に設け、
表側ケース部と背面側ケース部を折り曲げ部で折り曲げて重ね合わせたときに、商品収納空間と略名刺サイズの収納空間が上下または左右に並ぶようにし、
表側ケース部と背面側ケース部の内、少なくとも表側ケース部の表側商品収納部と表側用紙収納部を透明としたこと、
を特徴とする商品パッケージ。
【請求項２】
略名刺サイズの収納空間は、名刺サイズの長辺と短辺を各々１．３倍したサイズの方形枠からはみ出るサイズの用紙は収納不能であること、
を特徴とする請求項１記載の商品パッケージ。
【請求項３】
表側用紙収納部及び背面側用紙収納部は、表側ケース部と背面側ケース部を折り曲げ部で折り曲げて重ね合わせたときに、前方へ凸に形成された表側用紙収納部の中に、前方へ凸に形成された背面側用紙収納部が入り、かつ表側用紙収納部と背面側用紙収納部の間が略名刺サイズの収納空間を成すようにしたこと、
を特徴とする請求項１または２記載の商品パッケージ。
【請求項４】
折り曲げ部を介して折り曲げ自在に上下または左右に連接されており、上下または左右に折り曲げたときに重なり合う表側ケース部及び背面側ケース部を備え、
表側ケース部と背面側ケース部を折り曲げ部で折り曲げて重ね合わせたときに、商品を内部に収納する商品収納空間を形成する表側商品収納部及び背面側商品収納部とを表側ケース部と背面側ケース部に設けるとともに、
表側ケース部と背面側ケース部を折り曲げ部で折り曲げて重ね合わせたときに、商品情報を印刷したハガキサイズの用紙を内部に収納可能な略ハガキサイズの収納空間を形成する表側用紙収納部及び背面側用紙収納部とを表側ケース部と背面側ケース部に設け、
表側ケース部と背面側ケース部を折り曲げ部で折り曲げて重ね合わせたときに、商品収納空間と略ハガキサイズの収納空間が上下または左右に並ぶようにし、
表側ケース部と背面側ケース部の内、少なくとも表側ケース部の表側商品収納部と表側用紙収納部を透明としたこと、
を特徴とする商品パッケージ。
【請求項５】
略ハガキサイズの収納空間は、ハガキサイズの長辺と短辺を各々１．３倍したサイズの方形枠からはみ出るサイズの用紙は収納不能であること、
を特徴とする請求項４記載の商品パッケージ。
【請求項６】
表側用紙収納部及び背面側用紙収納部は、表側ケース部と背面側ケース部を折り曲げ部で折り曲げて重ね合わせたときに、前方へ凸に形成された表側用紙収納部の中に、前方へ凸に形成された背面側用紙収納部が入り、かつ表側用紙収納部と背面側用紙収納部の間が略ハガキサイズの収納空間を成すようにしたこと、
を特徴とする請求項４または５記載の商品パッケージ。
【請求項７】
表側商品収納部と背面側商品収納部の一方と他方に、表側ケース部と背面側ケース部を折り曲げ部で折り曲げて重ね合わせたときに、係脱自在に係合する係合部及び係合受け部を備えたこと、
を特徴とする請求項１乃至６の内のいずれか一項記載の商品パッケージ。
【請求項８】
表側用紙収納部と背面側用紙収納部の一方と他方に、表側ケース部と背面側ケース部を折り曲げ部で折り曲げて重ね合わせたときに、係脱自在に係合する係合部及び係合受け部を備えたこと、
を特徴とする請求項１乃至７の内のいずれか一項記載の商品パッケージ。
【考案の詳細な説明】
【技術分野】
【０００１】
本考案は商品パッケージに係り、とくに商品と説明書を収納可能な商品パッケージに関する。
【背景技術】
【０００２】
商品を店頭で販売する場合、商品を説明書とともに透明な商品パッケージに収納し、フックに掛けて吊持し、顧客が商品パッケージの外側から商品と説明書を視認できるようにしている。従来の商品パッケージは一つの収納空間に商品と説明書を一緒に収納する構成となっている。説明書は収納空間とほぼ同じ大きさの厚紙用紙に、商品説明や販売者の情報などを印刷したものである。
【０００３】
ところで、小規模の個人事業者や会社が限られた数量の商品を販売するため、説明書を印刷業者に頼んで作成しようとする、大量発注したのと代わらない料金が掛かってしまい、費用負担が大きいという問題があった。
【考案の概要】
【考案が解決しようとする課題】
【０００４】
本考案は上記した従来技術の問題に鑑みなされたもので、商品の説明書作成の費用を軽減可能な商品パッケージを提供することを、その目的とする。
【課題を解決するための手段】
【０００５】
請求項１記載の考案では、
折り曲げ部を介して折り曲げ自在に上下または左右に連接されており、上下または左右に折り曲げたときに重なり合う表側ケース部及び背面側ケース部を備え、
表側ケース部と背面側ケース部を折り曲げ部で折り曲げて重ね合わせたときに、商品を内部に収納する商品収納空間を形成する表側商品収納部及び背面側商品収納部とを表側ケース部と背面側ケース部に設けるとともに、
表側ケース部と背面側ケース部を折り曲げ部で折り曲げて重ね合わせたときに、商品情報を印刷した名刺サイズの用紙を内部に収納可能な略名刺サイズの収納空間を形成する表側用紙収納部及び背面側用紙収納部とを表側ケース部と背面側ケース部に設け、
表側ケース部と背面側ケース部を折り曲げ部で折り曲げて重ね合わせたときに、商品収納空間と略名刺サイズの収納空間が上下または左右に並ぶようにし、
表側ケース部と背面側ケース部の内、少なくとも表側ケース部の表側商品収納部と表側用紙収納部を透明としたこと、
を特徴としている。
請求項２記載の考案では、
略名刺サイズの収納空間は、名刺サイズの長辺と短辺を各々１．３倍したサイズの方形枠からはみ出るサイズの用紙は収納不能であること、
を特徴としている。
請求項３記載の考案では、
表側用紙収納部及び背面側用紙収納部は、表側ケース部と背面側ケース部を折り曲げ部で折り曲げて重ね合わせたときに、前方へ凸に形成された表側用紙収納部の中に、前方へ凸に形成された背面側用紙収納部が入り、かつ表側用紙収納部と背面側用紙収納部の間が略名刺サイズの収納空間を成すようにしたこと、
を特徴としている。
請求項４記載の考案では、
折り曲げ部を介して折り曲げ自在に上下または左右に連接されており、上下または左右に折り曲げたときに重なり合う表側ケース部及び背面側ケース部を備え、
表側ケース部と背面側ケース部を折り曲げ部で折り曲げて重ね合わせたときに、商品を内部に収納する商品収納空間を形成する表側商品収納部及び背面側商品収納部とを表側ケース部と背面側ケース部に設けるとともに、
表側ケース部と背面側ケース部を折り曲げ部で折り曲げて重ね合わせたときに、商品情報を印刷したハガキサイズの用紙を内部に収納可能な略ハガキサイズの収納空間を形成する表側用紙収納部及び背面側用紙収納部とを表側ケース部と背面側ケース部に設け、
表側ケース部と背面側ケース部を折り曲げ部で折り曲げて重ね合わせたときに、商品収納空間と略ハガキサイズの収納空間が上下または左右に並ぶようにし、
表側ケース部と背面側ケース部の内、少なくとも表側ケース部の表側商品収納部と表側用紙収納部を透明としたことこと、
を特徴としている。
請求項５記載の考案では、
略ハガキサイズの収納空間は、ハガキサイズの長辺と短辺を各々１．３倍したサイズの方形枠からはみ出るサイズの用紙は収納不能であること、
を特徴としている。
請求項６記載の考案では、
表側用紙収納部及び背面側用紙収納部は、表側ケース部と背面側ケース部を折り曲げ部で折り曲げて重ね合わせたときに、前方へ凸に形成された表側用紙収納部の中に、前方へ凸に形成された背面側用紙収納部が入り、かつ表側用紙収納部と背面側用紙収納部の間が略ハガキサイズの収納空間を成すようにしたこと、
を特徴としている。
請求項７記載の考案では、
表側商品収納部と背面側商品収納部の一方と他方に、表側ケース部と背面側ケース部を折り曲げ部で折り曲げて重ね合わせたときに、係脱自在に係合する係合部及び係合受け部を備えたこと、
を特徴としている。
請求項８記載の考案では、
表側用紙収納部と背面側用紙収納部の一方と他方に、表側ケース部と背面側ケース部を折り曲げ部で折り曲げて重ね合わせたときに、係脱自在に係合する係合部及び係合受け部を備えたこと、
を特徴としている。
【考案の効果】
【０００６】
本考案によれば、一つの商品パッケージに商品情報を印刷した名刺サイズ用紙（またはハガキサイズ用紙）を収納する略名刺サイズ（略ハガキサイズ）の収納空間と、商品を収納する商品収納空間とを分けて形成できるとともに、少なくとも表側から商品と商品情報を視認可能となる。商品情報を印刷した名刺サイズ用紙（ハガキサイズ用紙）は、市中の名刺（ハガキ）印刷業者に依頼することにより、小量の枚数であっても極めて安価な価格で作成することができ、少量の商品販売をしたい場合のコストを低く抑えることができる。
本考案の他の一つによれば、背面側用紙収納部を前方へ突出させて、商品情報を印刷した名刺サイズ用紙（ハガキサイズ用紙）が見易くなるようにできる。
本考案の更に他の一つによれば、表側商品収納部と背面側商品収納部を係脱自在に係合可能となるので、商品収納空間から商品が外れにくくなる。
本考案の他の一つによれば、表側用紙収納部と背面側用紙収納部を係脱自在に係合可能となるので、用紙を収納する収納空間から商品情報を印刷した名刺サイズ用紙（ハガキサイズ用紙）が外れにくくなる。
【図面の簡単な説明】
【０００７】
【図１】本考案に係る商品パッケージの使用状態の外観斜視図である（実施例１）。
【図２】図１の商品パッケージの展開した状態を示す正面図である。
【図３】図２の側面図である。
【図４】図１の商品パッケージの使用方法の説明図である。
【図５】図１の商品パッケージの使用方法の説明図である。
【図６】図１の商品パッケージの使用方法の説明図である。
【図７】図１の商品パッケージの変形例の説明図である。
【考案を実施するための最良の形態】
【０００８】
以下、本考案の最良の形態を実施例に基づき説明する。
【実施例１】
【０００９】
図１乃至図３を参照して本考案の一実施例を説明する。図１は本考案に係る商品パッケージの使用状態の外観斜視図、図２は図１の商品パッケージを展開した正面図、図３は図２の左側面図である。
これらの図において、１は透明プラスチック部材から成る商品パッケージであり、各々、上下に長い長方形状で同サイズの表側ケース部２と背面側ケース部３とが横方向に延びた折り曲げ部４を介して折り曲げ自在に上下に連接されて成る。表側ケース部２と背面側ケース部３は折り曲げ部４で上下に折り曲げたときに２つ折り状態となって互いに重なり合うようになっている。
【００１０】
展開状態での表側ケース部２の下部と背面側ケース部３の上部には、折り曲げ部４で折り曲げて重ね合わせたときに、商品（図１、図４乃至図６の符号４０参照）を内部に収納する商品収納空間１０を形成する表側商品収納部１１及び背面側商品収納部１２が設けられている。表側商品収納部１１は前方に凸な方形の蓋形に形成されている。背面側商品収納部１２は平らで方形の底部１３と、底部１３の周縁部に背面方向に凸に突設された方形の枠部１４から成る（背面側ケース部３を折り曲げ部４で上方へ１８０度折り曲げた状態で見たときは、枠部１４は前方に凸である）。
【００１１】
折り曲げ部４で折り曲げて表側ケース部２と背面側ケース部３を重ね合わせたとき、枠部１４が表側商品収納部１１の内側の周縁部に入り込み、表側商品収納部１１と背面側商品収納部１２とが一つの中空の箱形の容器を成し、内部に商品収納空間１０を形成するようになっている。
【００１２】
展開状態での表側ケース部２の上部と背面側ケース部３の下部には、折り曲げ部４で折り曲げて重ね合わせたときに、商品情報を印刷した名刺サイズ用紙（図１、図４乃至図６の符号５０参照）を内部に収納可能な略名刺サイズの収納空間（略名刺サイズの収納スペース）２０を形成する表側用紙収納部２１及び背面側用紙収納部２２が設けられている。表側用紙収納部２１は前方に凸な方形の蓋形に形成されている。背面側用紙収納部２２は後方に凸な略方形の上げ底状に形成されている（背面側ケース部３を折り曲げ部４で上方へ１８０度折り曲げた状態で見たときは、背面側用紙収納部２２前方に凸である）。
【００１３】
折り曲げ部４で折り曲げて表側ケース部２と背面側ケース部３を重ね合わせたとき、表側用紙収納部２１と背面側用紙収納部２２とが一つの中空で上げ底箱形の容器を成し、内部に名刺サイズ用紙を一枚分収納可能な略名刺サイズの収納空間２０を形成するようになっている。略名刺サイズの収納空間２０は、名刺サイズの長辺と短辺を各々１．３倍（より好ましくは１．１〜１．２倍）したサイズの方形枠からはみ出るサイズの用紙は収納不能な大きさとなっている。
【００１４】
展開状態での表側ケース部２の上端部と背面側ケース部３の下端部には長孔状のフック掛け部３０、方形開口状のフック掛け部３１が形成されており、折り曲げ部４で２つ折状態に折り曲げたとき、フック掛け部３０、方形開口状のフック掛け部３１が重なり、両者に図示しないフックを通して、商品パッケージ１を掛け吊るすことができるようになっている。
【００１５】
次に、図１、図４乃至図６を参照して上記した商品パッケージ１の使用方法を説明する。
まず、図２の如く展開状態にある商品パッケージ１を折り曲げ部４を軸にして折り曲げ、背面側ケース部３と表側ケース部２が約４５度乃至９０度の半開き状態とし、背面側ケース部３を水平向きにする。そして、背面側商品収納部１２に商品４０を入れ、背面側用紙収納部２２に商品情報を印刷した名刺サイズ用紙５０を載せる（図４、図５参照）。
【００１６】
次に、表側ケース部２を背面側ケース部３に向けて折り曲げて重ね合わせ、前側用紙収納部２１を背面側用紙収納部２２に被せて容器形とし、内部の名刺サイズ用紙収納空間２０に商品情報を印刷した名刺サイズ用紙５０を収納した状態とし、前側商品紙収納部１１を背面側商品収納部１２に被せて容器形とし、内部の商品収納空間１０に商品４０を収納した状態とする（図１、図６参照）。最後に、重ねたフック掛け部３０、３１を図示しないフックに掛けて、商品パッケージ１を吊持させれば良い。
【００１７】
顧客は透明な表側商品収納部２１と背面側商品収納部２２を通して商品収納空間１０に収納された商品４０の全体を目で確認するとともに、透明な前側用紙収納部２１と背面側用紙収納部２２を通して略名刺サイズの収納空間２０に収納された名刺サイズ用紙５０の印刷から商品情報を目で読むことができる。この際、背面側用紙収納部２２が前方に突設しているので、名刺サイズ用紙５０の印刷情報を間近から見ることができる。
【００１８】
また、名刺サイズ用紙５０への商品情報の印刷は、市中の名刺印刷業者に依頼することにより、５０枚、１００枚などの小量の枚数であっても数千円から５、６千円程度という極めて安価な価格で、色、厚さ、光沢の異なる多種類の名刺用紙の中から所望の種類を選び、かつ、商品説明、商品画像、販売者情報などを自由なレイアウトで印刷して作成することができ、少量の商品販売をしたい場合のコストを低く抑えることができる。
【００１９】
この実施例によれば、表側ケース部２と背面側ケース部３を開いた状態で、商品４０を背面側商品収納部１１に入れ、商品情報を印刷した名刺サイズ用紙５０を背面側用紙収納部２１に載せ、表側ケース部２と背面側ケース部３を重ね合わせることにより、表側商品収納部１１と背面側商品収納部１２とで形成される商品収納空間１０に商品４０を収納状態とし、表側用紙収納部２１と背面側用紙収納部２２とで形成される略名刺サイズの収納空間２０に商品情報を印刷した名刺サイズ用紙５０を収納状態とできるので、商品４０と商品情報を印刷した名刺サイズ用紙５０を分けて収納可能となる。
また、表側商品収納部１１と背面側商品収納部１２の両方が透明なので、商品４０の前側と後ろ側の両方を視認可能となり、表側用紙収納部２１と背面側用紙収納部２２の両方が透明なので、名刺サイズ用紙５０の表裏両方に印刷された情報を視認可能となる。
また、商品情報を印刷した名刺サイズ用紙は、市中の名刺印刷業者に依頼することにより、小量の枚数であっても極めて安価な価格で作成することができ、少量の商品販売をしたい場合のコストを低く抑えることができる。
また、背面側用紙収納部２２を前方へ突設させて上げ底にしたので、商品情報を印刷した名刺サイズ用紙５０が目立つとともに、表面に印刷された情報が見易くなる。
【００２０】
なお、図７に示す如く、表側用紙収納部２１の左右両サイドに左右方向の中央に向けて凸状の係合部２１ａを設けるとともに、背面側用紙収納部２２の左右両サイドの内、係合部２１ａに対応する箇所に凹状の係合受け部２２ａを設け、表側ケース部２と背面側ケース部３を重ね合わせ、背面側用紙収納部２２に表側用紙収納部２１を被せたとき、係合部２１ａが係合受け部２２ａに係脱自在に係合するようにしても良い。同様に、表側商品収納部１１の左右両サイドに左右方向の中央に向けて凸状の係合部１１ａを設けるとともに、背面側商品収納部１２の左右両サイドの内、係合部１１ａに対応する箇所に凹状の係合受け部１２ａを設け、表側ケース部２と背面側ケース部３を重ね合わせ、背面側商品収納部１２に表側商品収納部１１を被せたとき、係合部１１ａが係合受け部１２ａに係脱自在に係合するようにしても良い。
図７の如き係脱構造を付加することにより、販売店で展示中などに、商品や名刺サイズ用紙が商品パッケージから外れる恐れが少なくなる。
【００２１】
また、上記した実施例では、展開状態での表側ケース部と背面側ケース部を折り曲げ部で折り曲げて重ね合わせたときに、商品情報を印刷した名刺サイズ用紙を内部に収納可能な略名刺サイズの収納空間（略名刺サイズの収納スペース）が形成されるようにしたが、表側用紙収納部と背面側用紙収納部を大きくして、商品情報を印刷したハガキサイズ用紙を内部に収納可能な略ハガキサイズの収納空間（略ハガキサイズの収納スペース）が形成されるようにしても良い。略ハガキサイズの収納空間２０は、ハガキサイズの長辺と短辺を各々１．３倍（より好ましくは１．１〜１．２倍）したサイズの方形枠からはみ出るサイズの用紙は収納不能な大きさとする。
ハガキサイズ用紙への商品情報の印刷も、市中のハガキ印刷業者に依頼することにより、５０枚、１００枚などの小量の枚数であっても数千円から７、８千円程度という極めて安価な価格で、色、厚さ、光沢の異なる多種類の名刺用紙の中から所望の種類を選び、かつ、商品説明、商品画像、販売者情報などを自由なレイアウトで印刷して作成することができ、少量の商品販売をしたい場合のコストを低く抑えることができる。
【産業上の利用可能性】
【００２２】
本考案は、商品を商品情報を印刷した用紙とともに収納し、販売などに用いるパッケージに適用可能である。
【符号の説明】
【００２３】
１  商品パッケージ
２  表側ケース部
３  背面側ケース部
４  折り曲げ部
１０  商品収納空間
１１  表側商品収納部
１２  背面側商品収納部
２０  略名刺サイズの収納空間
２１  表側用紙収納部
２２  背面側用紙収納部
４０  商品
５０  名刺サイズ用紙
【図１】
0003224133.tif 000003
【図２】
0003224133.tif 000004
【図３】
0003224133.tif 000005
【図４】
0003224133.tif 000006
【図５】
0003224133.tif 000007
【図６】
0003224133.tif 000008
【図７】
0003224133.tif 000009